(57)【特許請求の範囲】
【請求項１】
模様が織り込まれる模様領域と、前記模様領域を囲む周辺領域と、前記周辺領域の縁部を接結する接結領域とを有し、経糸との糸組を異にする少なくとも４種類の緯糸を用いて表織布と裏織布とが一体的に製織される織布であって、
前記模様領域において、
第２緯糸と第３緯糸とは、風通組織によって前記表織布と前記裏織布とに織り分けられ、第２緯糸のみを使用して織られた第２部分と第３緯糸のみを使用して織られた第３部分とは対向しながら交互に前記表織布と前記裏織布とに表われるように織られ、
第１緯糸と第４緯糸とは、分離されて織られる部分と重ね織される部分とを構成し、前記分離されて織られる部分では、第１緯糸のみを使用して織られた第１部分と第４緯糸のみを使用して織られた第４部分とが対向しながら一方が前記表織布に他方が前記裏織布に表われ、前記重ね織される部分は前記風通組織内の空間に織込まれ、前記表織布と前記裏織布とは互いに分離されることなく接結されていることを特徴とする織布。
【請求項２】
請求項１に記載の織布において、
前記周辺領域では、第１緯糸のみが前記表織布の外側に表われるように第２緯糸と重ね織された部分と、第４緯糸のみが前記裏織布の外側に表われるように第３緯糸と重ね織された部分とが互いに分離されて二重に織られていることを特徴とする織布。
【請求項３】
請求項１又は２に記載の織布において、
前記接結領域では、第１乃至第４緯糸が重ね織されて接結されていることを特徴とする織布。
【請求項４】
模様が織り込まれる模様領域と、前記模様領域を囲む周辺領域と、前記周辺領域の縁部を接結する接結領域とを有し、経糸との糸組を異にする少なくとも４種類の緯糸を用いて表織布と裏織布とが一体的に製織される織布であって、
前記模様領域において、
第１緯糸と第２緯糸とは、第１の風通組織によって前記表織布の表面と裏面とに織り分けられ、第１緯糸のみを使用して織られた第１部分と第２緯糸のみを使用して織られた第２部分とが対向しながら交互に前記表織布の表面と裏面とに表われるように織られ、
第３緯糸と第４緯糸とは第２の風通組織によって裏織布の表面と裏面とに織り分けられ、第３緯糸のみを使用して織られた第３部分と第４緯糸のみを使用して織られた第４部分とが対向しながら交互に前記裏織布の表面と裏面とに表われるように織られ、前記表織布と前記裏織布とは互いに分離され、前記接結領域で開口を有する袋状に接結されていることを特徴とする織布。
【請求項５】
請求項１に記載の織布において、
前記周辺領域では、第１緯糸のみが前記表織布の表面に表われるように第２緯糸と重ね織されて前記表織布に連結され、第４緯糸のみが前記裏織布の表面に表われるように第３緯糸と重ね織されて前記裏織布に連結されていることを特徴とする織布。
【請求項６】
請求項４又は５に記載の織布において、
前記接結領域では、第１乃至第４緯糸が重ね織されて接結されていることを特徴とする織布。
【発明の詳細な説明】
【技術分野】
【０００１】
本発明は、異なる柄模様を織り込んだ表織布と裏織布とを備え、両面が使用できるリバーシブルな織布に係り、特に、経糸（縦糸）との糸組を異にする複数種類の緯糸（横糸）を用いて製織される織布に関する。
【背景技術】
【０００２】
テーブルクロス、テーブルランナー、コースター、ランチョンマット等のダイニング用布製装飾品、クッション、座布団等のリビング用布製装飾品、ベッドカバー等のベッドルーム用布製装飾品、その他絵画等の布製室内装飾品の織布として、従来より表織布と裏織布とに異なる柄模様や図柄は表裏で同一であるが色合が表裏で異なる模様を織り込み、両面が使用できるリバーシブルな織布が知られている。このようなリバーシブルな織布に関する発明としては、例えば、特許文献１，２に記載されたものが知られている。
【０００３】
特許文献１に記載された発明では、表柄意匠と裏柄意匠とを重ね合わせて透視した一枚の合成意匠を予め作成し、その合成意匠に基づいて、要所に多数の接結点を設定し、これらの接結点に所要の糸を交錯せしめて表織布と裏織布とを一体に製織している。
特許文献２に記載された発明では、高密度の二重織りによって布帛の表面と裏面に別々の織組織を形成するように製織している。
【先行技術文献】
【特許文献】
【０００４】
【特許文献１】特開平１０−２１９５４４号公報
【特許文献２】特開平９−１９１９９８号公報
【発明の概要】
【発明が解決しようとする課題】
【０００５】
特許文献１に記載の従来技術では、合成意匠に基づいて、違和感を与えない適宜個所に多数の接結点を設定しなければならないため、表柄と裏柄とを完全に自由に選択することが出来ず、また、合成意匠毎に接結点の位置を定めなければならないという問題点がある。
また、特許文献２に記載の従来技術では、経糸及び緯糸の織り密度を高くし、裏面織組織は実質的に表側に出ないように製織しなければならないという問題点がある。
本発明は、上述した従来技術の問題点を解決し、複雑かつ緻密な図柄を自由に表織布と裏織布に一体的に製織したリバーシブルな織布を提供することを目的とする。
【課題を解決するための手段】
【０００６】
本発明の第１の形態に係る織布は、模様が織り込まれる模様領域と、模様領域を囲む周辺領域と、周辺領域の縁部を接結する接結領域とを有し、経糸との糸組を異にする少なくとも４種類の緯糸を用いて表織布と裏織布とが一体的に製織される織布であって、模様領域において、第２緯糸と第３緯糸とは、風通組織によって表織布と裏織布とに織り分けられ、第２緯糸のみを使用して織られた第２部分と第３緯糸のみを使用して織られた第３部分とは対向しながら交互に表織布と裏織布とに表われるように織られ、第１緯糸と第４緯糸とは、分離されて織られる部分と重ね織される部分とを構成し、分離されて織られる部分では、第１緯糸のみを使用して織られた第１部分と第４緯糸のみを使用して織られた第４部分とが対向しながら一方が表織布に他方が裏織布に表われ、重ね織される部分は風通組織内の空間に織込まれ、表織布と裏織布とは互いに分離されることなく接結されていることを特徴とする。
【０００７】
本発明の第１の形態に係る織布において、周辺領域では、第１緯糸のみが表織布の外側に表われるように第２緯糸と重ね織された部分と、第４緯糸のみが裏織布の外側に表われるように第３緯糸と重ね織された部分とが互いに分離されて二重に織られていることを特徴とする。
【０００８】
本発明の第１の形態に係る織布において、接結領域では、第１乃至第４緯糸が重ね織されて接結されていることを特徴とする。
【０００９】
本発明の第２の形態に係る織布は、模様が織り込まれる模様領域と、模様領域を囲む周辺領域と、周辺領域の縁部を接結する接結領域とを有し、経糸との糸組を異にする少なくとも４種類の緯糸を用いて表織布と裏織布とが一体的に製織される織布であって、模様領域において、第１緯糸と第２緯糸とは、第１の風通組織によって表織布の表面と裏面とに織り分けられ、第１緯糸のみを使用して織られた第１部分と第２緯糸のみを使用して織られた第２部分とが対向しながら交互に表織布の表面と裏面とに表われるように織られ、第３緯糸と第４緯糸とは第２の風通組織によって裏織布の表面と裏面とに織り分けられ、第３緯糸のみを使用して織られた第３部分と第４緯糸のみを使用して織られた第４部分とが対向しながら交互に裏織布の表面と裏面とに表われるように織られ、表織布と裏織布とは互いに分離され、接結領域で開口を有する袋状に接結されていることを特徴とする。
【００１０】
本発明の第１の形態に係る織布において、周辺領域では、第１緯糸のみが表織布の表面に表われるように第２緯糸と重ね織されて表織布に連結され、第４緯糸のみが裏織布の表面に表われるように第３緯糸と重ね織されて裏織布に連結されていることを特徴とする。
【００１１】
本発明の第１又は第２の形態に係る織布において、接結領域では、第１乃至第４緯糸が重ね織されて接結されていることを特徴とする。
【発明の効果】
【００１２】
本発明では、経糸との糸組を異にする少なくとも４種類の緯糸を用いて表織布と裏織布とに模様を織り込み、両織布を密着接結又は袋状に接結するようにしているため、複雑かつ緻密な図柄を備えたリバーシブルな織布を製織することが出来る。
【図面の簡単な説明】
【００１３】
【図１】実施例１に係る織布の表織布の図柄を示す平面図。
【図２】重ね織（二重織）における緯糸と経糸との間の各種の糸組を示す図。
【図３】図１のＸ−Ｘ′に沿って切断した時の織布の断面構造を示す図。
【図４】実施例２に係る織布の表織布及び裏織布の図柄を示す平面図。
【図５】図４のＸ−Ｘ′に沿って切断した時の織布の断面構造を示す図。
【発明を実施するための形態】
【００１４】
以下、添付図面を参照して本発明に係る織布の実施例を説明する。
【実施例１】
【００１５】
図１は本発明の第１の実施例（実施例１）に係る織布の表織布の図柄を示した平面図である。
織布１００は、模様（図柄）が織り込まれる模様領域１０と、模様領域１０を囲む周辺領域２０と、周辺領域２０の縁部を接結する接結領域３０とから構成されている。実施例１では、模様領域１０内に図柄と色合とを異にする６本のガーベラの花１０−１〜１０−６が織り込まれている。なお、織布１００の裏側も表側と同一の構成となっており、模様領域には６本のガーベラの花１０−１〜１０−６の図柄が表裏で鏡面対称となり、色合が表裏で異なるように表われる。
【００１６】
実施例１の織布は、経糸との糸組を異にする少なくとも４種類の緯糸（以下、第１乃至第４緯糸という）を用いて、ジャカード織機により表織布と裏織布とが一体的に製織され、表織布と裏織布とは互いに分離されることなく、接結されている。
なお、本発明では重ね織と呼ばれる技法を用いている。これは２枚の織布を同じ織機で同時に織り、しかもこの２枚の織布を織り糸で接結し、１枚の織布のようにするものである。重ね織には各種の糸組が知られている。
【００１７】
図２は重ね織（二重織）における緯糸と経糸との間の各種の糸組を示した図である。図中、１ａは表経糸、１ｂは裏経糸、２ａ，２ｂは１組の第１緯糸、３ａ，３ｂは１組の第２緯糸をそれぞれ示している。
図２ａに示される二重織の糸組は表の経緯糸と裏の経緯糸とを所々で表裏反対に用いるもので、通常、風通組織、風通織又は単に風通といわれている。本発明では図２に示すいずれかの重ね織の糸組（ａ，ｂ，ｃ，ｄ，）を組合わせて使用している。
【００１８】
次に、実施例１に係る織布の糸組の構造を説明する。
図３は、図１のＸ−Ｘ′に沿って切断した時の織布の断面構造を示す図である。実施例１では、４種類の緯糸（第１緯糸：５１，５３、第２緯糸：６１，６３、第３緯糸：７１，７３、第４緯糸：８１，８３）を使用して２種類の経糸（●，〇）との間で糸組を行っている。まず模様領域１０における糸組について説明する。模様領域１０においては、第２緯糸６１，６３と第３緯糸７１，７３とは風通組織によって表織布１１０と裏織布１２０とに織り分けられている。そして第２緯糸６１，６３のみを使用して織られた部分（第２部分６５）と第３緯糸７１，７３のみを使用して織られた部分（第３部分７５）とは対向しながら交互に表織布１１０と裏織布１２０とに表われる。
【００１９】
第１緯糸５１，５３と第４緯糸８１，８３とは分離されて織られる部分（５５，８５）と重ね織される部分（９５）とを構成する。分離されて織られる部分（５５，８５）では、第１緯糸５１，５３のみを使用して織られた部分（第１部分５５）と第４緯糸８１，８３のみを使用して織られた部分（第４部分８５）とが対向しながら一方（例えば第１部分５５）が表織布１１０に、他方（例えば第４部分８５）が裏織布１２０に表われる。
また、重ね織される部分９５は風通組織内の空間に織込まれる。このようにして表織布１１０と裏織布１２０とは互いに分離されることなく接結される。
【００２０】
次に、周辺領域２０における糸組について説明する。
周辺領域２０では、第１緯糸５１，５３のみが表織布１１０の外側に表われるように第２緯糸６１，６３と重ね織された部分４５と、第４緯糸８１，８３のみが裏織布１２０の外側に表われるように第３緯糸７１，７３と重ね織された部分３５とが互いに分離されて二重に織られている。したがって、周辺領域２０では、表織布１１０と裏織布１２０とは接結されてはいない。接結領域３０では、第１緯糸５１，５３、第２緯糸６１，６３、第３緯糸７１，７３及び第４緯糸８１，８３が重ね織されて接結されている。
【実施例２】
【００２１】
実施例１では模様領域において表織布と裏織布とは分離されることなく接結されていたが、実施例２では、表織布と裏織布とは分離され、接結領域のみで接結されて袋状に製織される。
【００２２】
図４は実施例２に係る織布の表裏に表われる図柄を示した平面図で、ａは表織布の外側に表われる図柄を、ｂは裏織布の外側に表われる図柄をそれぞれ示している。
表織布２００ａは、模様領域１０ａ、周辺領域２０ａ、及び、接結領域３０ａから構成されている。模様領域１０ａ内に図柄と色合とを異にする６本のガーベラの花１０ａ−１〜１０ａ−６が織り込まれている。なお表織布２００ａの内側も外側と同一の構成となっており、６本のガーベラの花１０ａ−１〜１０ａ−６の図柄が内外で鏡面対称となり、色合が内外で異なるように表われる。
【００２３】
裏織布２００ｂは、模様領域１０ｂ、周辺領域２０ｂ、及び、接結領域３０ｂから構成されている。模様領域１０ｂ内には６本のバラの花１０ｂ−１〜１０ｂ−６が織り込まれている。裏織布２００ｂの内側も外側と同一の構成となっており、６本のバラの花１０ｂ−１〜１０ｂ−６の図柄が内外で鏡面対称となり、色合が内外で異なるように表われる。
【００２４】
実施例２の場合には、接結領域３０ａ，３０ｂは一部に開口３５ａ，３５ｂが設けられており、この開口３５ａ，３５ｂから表織布２００ａ及び裏織布２００ｂを反転させて、それぞれ内側に織り込まれている図柄を表側に引出すことができる。なお開口の位置は、経糸の方向又は緯糸の方向のいずれに設けてもよい。
【００２５】
実施例２の織布においても２種類の経糸（●，〇）との糸組を異にする少なくとも４種類の緯糸（第１緯糸：５１，５３、第２緯糸：６１，６３、第３緯糸：７１，７３、第４緯糸：８１，８３）を用いること、ジャカード織機により表織布と裏織布とを一体的に製織すること、及び、図２に示すいずれかの重ね織の糸組を組合わせて使用することは実施例１の織布の場合と同様である。
【００２６】
次に、実施例２に係る織布の糸組の構造を説明する。
図５は、図４のＸ−Ｘ′に沿って切断した時の織布の断面構造を示す図である。
まず、表織布２００ａの模様領域１０ａにおける糸組について説明する。
模様領域１０ａにおいては、第１緯糸５１，５３と第２緯糸６１，６３とは風通組織によって表織布２００ａの表面（外側）と裏面（内側）とに織り分けられ、第１緯糸５１，５３のみを使用して織られた第１部分５５ａと第２緯糸６１，６３のみを使用して織られた第２部分６５ａとが対向しながら交互に表織布２００ａの表面と裏面とに表われるように織られる。
【００２７】
次に、裏織布２００ｂの模様領域１０ｂにおける糸組について説明する。
模様領域１０ｂにおいては、第３緯糸７１，７３と第４緯糸８１，８３とは風通組織によって裏織布２００ｂの表面（外側）と裏面（内側）とに織り分けられ、第３緯糸７１，７３のみを使用して織られた第３部分７５ｂと第４緯糸８１，８３のみを使用して織られた第４部分８５ｂとが対向しながら交互に裏織布２００ｂの表面と裏面とに表われるように織られる。
実施例２では実施例１とは異なり、表織布２００ａと裏織布２００ｂとは一体的に製織はされるが、接結されることなく互いに分離されて製織される。
【００２８】
次に、周辺領域２０ａ，２０ｂにおける糸組について説明する。
周辺領域２０ａでは、第１緯糸５１，５３のみが表織布２００ａの表面（外側）に表われるように第２緯糸６１，６３と重ね織された部分４５ａを外側にして表織布２００ａの模様領域１０ａに連結されている。
周辺領域２０ｂでは、第４緯糸８１，８３のみが裏織布２００ｂの表面（外側）に表われるように第３緯糸７１，７３と重ね織された部分３５ｂを外側にして裏織布２００ｂの模様領域１０ｂに連結されている。
接結領域３０ａ，３０ｂでは、第１緯糸５１，５３、第２緯糸６１，６３、第３緯糸７１，７３及び第４緯糸８１，８３が重ね織されて接結されている。
【００２９】
以上、実施例に基づいて本発明を説明したが、本発明は上述の実施例に限定されることなく種々の変形や応用が可能である。
使用される緯糸や経糸の種類を増やすことによってより複雑で緻密な図柄を製織することができる。
そして本発明による織布を使用することにより、高級感のあるさまざまなデザインのダイニング用、リビング用、室内装飾用の各種の装飾品を作製することができる。
【符号の説明】
【００３０】
１０，１０ａ，１０ｂ・・模様領域
２０，２０ａ，２０ｂ・・周辺領域
３０，３０ａ，３０ｂ・・接結領域
３５，３５ｂ・・第４緯糸のみが表面に表われるように第３緯糸と重ね織された部分
４５，４５ａ・・第１緯糸のみが表面に表われるように第２緯糸と重ね織された部分
５１，５３・・第１緯糸
５５・・第１部分
６１，６３・・第２緯糸
６５・・第２部分
７１，７３・・第３緯糸
７５・・第３部分
８１，８３・・第４緯糸
８５・・第４部分
１００・・織布（実施例１）
１１０・・表織布（実施例１）
１２０・・裏織布（実施例１）
２００・・織布（実施例２）
２００ａ・・表織布（実施例２）
２００ｂ・・裏織布（実施例２）
【要約】
【課題】複雑かつ緻密な図柄を製織したリバーシブルな織布を提供する。
【解決手段】経糸との糸組を異にする少なくとも４種類の緯糸を用いて表織布と裏織布とが一体的に製織され、第１緯糸と第３緯糸とは風通組織によって表織布と裏織布とに織り分けられる。第２緯糸と第４緯糸とは分離されて織られる部分と重ね織される部分とを構成する。
【選択図】      図３【図１】
0005629401.tif 000002
【図２】
0005629401.tif 000003
【図３】
0005629401.tif 000004
【図４】
0005629401.tif 000005
【図５】
0005629401.tif 000006